(57)【要約】【課題】従来の冷却装置では内気送風機または外気送風機が配置されている区画に制御装置を搭載することになるが、制御装置は発熱量が大きく、効率よく冷却する必要があるという課題がある。【解決手段】冷却装置のケース１の内部には、室内側ターボファン２と、室外側ターボファン３とをケース１内部に配置し、室内側ターボファン２と室外側ターボファン３との間には内気と外気との間の顕熱交換を行うための熱交換素子４を配置している。コントローラーボックス６は、熱交換素子４の内気流入口７の上方の室内側ターボファン２が配置されている区画にあり、右回転の室内側ターボファン２の接線方向が熱交換素子４の内気流入口７と同じ方向に配置することによって、効率よくコントローラーボックス６の冷却を行う。【選択図】図１
2009117631.tif 000002
【特許請求の範囲】
【請求項１】
発熱体収納箱の空気を取込み、また発熱体収納箱へ戻し循環させる内気風路と、外気を取込み、また屋外へ排気する外気風路と、内気風路の空気を搬送する内気送風機と、外気風路の空気を搬送する外気送風機と、内気風路の空気と外気風路の空気との間で顕熱交換を行う顕熱交換器と、内気送風機と外気送風機の動作を制御するための制御装置を収容する制御装置収容部とを備え、発熱体収納箱に取り付けられて発熱体収納箱内部を冷却する冷却装置において、内気送風機は、顕熱交換器の上流側に配置し、制御装置収容部は、内気風路内の内気送風機と同一の区画内で、かつ、内気送風機の回転する向きの接線の方向が、顕熱交換器の空気流入方向と同じ向きとなる側に配置されたことを特徴とする発熱体収納箱冷却装置。
【請求項２】
内気送風機側の制御装置収容部の壁面に、制御装置の構成部品の中で発熱量の大きいプリント基板を箱体の外側から取り付けることを特徴とする請求項１に記載の発熱体収納箱冷却装置。
【請求項３】
プリント基板とプリント基板を取り付ける制御装置収容部箱体壁面の間に空間を設けたことを特徴とする請求項１または２記載の発熱体収納箱冷却装置。
【請求項４】
内気送風機の吐出側の区画と制御装置収容部内を連通させた制御装置収容部流入口と、内気側とを連通させた制御装置収容部流出口を設け、制御装置収容部流入口の風上側に冷却したいプリント基板の高温部を配置した事を特徴とする請求項１〜３いずれかに記載の発熱体収納箱冷却装置。
【請求項５】
プリント基板の中で発熱量の多い構成部品と接触する１面を有し、制御装置収納部流入口への風の流入方向に対して垂直となり相対する２面を風上側が低く、風下側が高くなるよう段差を設けて折り曲げ、かつ、多数のスリットを設けた櫛形状とし、櫛形状が風上側と風下側風路で重ならない様に半周期ずらした千鳥配列とした形状を有するプリント基板放熱フィンを制御装置収納部流入口直前に備えた事を特徴とする請求項１〜４いずれかに記載の発熱体収納箱冷却装置。
【請求項６】
制御装置収容部箱体のプリント基板設置部分にプリント基板設置台とスリットとネジ固定部分を備え、プリント基板に差込部とネジ固定穴を備え、ネジにて容易に着脱可能な機能を有したことを特徴とする請求項１〜５いずれかに記載の発熱体収納箱冷却装置。
【請求項７】
プリント基板放熱フィンの直前に、局所的に通風させる為の開口と送風を導く為のガイドを有したプリント基板保護カバーを備えたことを特徴とする請求項１〜６のいずれかに記載の発熱体収納箱冷却装置。
【請求項８】
制御装置収納部箱体にプリント基板カバー固定用スリットとネジ固定部を備え、プリント基板カバーに差込部とネジ固定穴を備え、ネジにて容易に着脱可能な機能を有したことを特徴とする請求項１〜７のいずれかに記載の発熱体収納箱冷却装置。
【請求項９】
制御装置収納部箱体の室外側壁面と、外気と接触する発熱体収納箱冷却装置外面の間に空間を設け、かつ、空間内で生じた結露水を機外に排出する為の開口部を設けたことを特徴とする請求項１〜８のいずれかに記載の発熱体収納箱冷却装置。
【請求項１０】
内部の狭小空間にて部品交換が必要である制御装置収納部箱体において、交換部品直近にメンテナンス開口とメンテナンスカバー固定用のスリットとネジ固定部を備え、メンテナンスカバーに固定用差込部とネジスライドスリット穴を備えたことを特徴とする請求項１〜９のいずれかに記載の発熱体収納箱冷却装置。
【請求項１１】
内気風路内であって内気送風機の背面に、内気送風機と正対する制御装置収容部の壁面と、内気送風機の主板との双方に垂直になるようにヒーターを配置したことを特徴とする請求項１〜１０いずれかに記載の発熱体収納箱冷却装置。
【発明の詳細な説明】
【技術分野】
【０００１】
本発明は、屋外に設置される箱体構造物で、内部に電子部品などの発熱体を有し、その発熱量が多く冬季においても冷却を要し、また、温度により性能、寿命に大きく影響を受けるような精密な機器を有する箱に関し、特にその冷却装置とその制御装置の冷却方法に関するものである。
【背景技術】
【０００２】
近年の電子部品の高性能化と制御基板に対する電子部品の高密度化により制御基板からの発熱量が飛躍的に増加し発熱体収納箱内温度が上昇する傾向にあるが、制御基板上にある電子部品の動作保証、製品寿命を確保する為に、それらを一定温度以下に保つ為の冷却装置の役割が重要となっている。また、冷却装置としてエアコン方式等が多様されてきたが、省エネという観点より、屋外に設置される発熱体収納箱の冷却装置としては、箱体収納箱の側面に熱交換型冷却装置を設置することによって、外気温度が低い時に外気と箱体構造物内の空気（以下、内気と称す）とで熱交換を行うことで内気を冷却する空気式熱交方式が注目されている。
【０００３】
従来、この種の箱を空気式熱交換により冷却する発熱体収容箱冷却装置は、箱側面に設置されたものが知られている（例えば、特許文献１参照）。
【０００４】
以下、その発熱体収納箱冷却装置の構成について、図１４と図１５を参照しながら説明する。
【０００５】
図１４に示すように発熱体収納箱冷却装置１０１は、ケース１０２の内部に、発熱体収納箱の空気を取込んで戻す内気風路１１０と、外気を取込み、また外気に排出する外気風路１１１を有し、内気風路１１０の空気を搬送する内気送風機１０３と、外気風路１１１の空気を搬送する外気送風機１０４とを有している。また、両風路の交点には、上記の強制対流により、対向流間の隔壁部を介して冷たい外気と発熱体により熱せられた内気の顕熱を交換する熱交換素子１０５が配置されている。発熱体収納箱冷却装置１０１内には他に、制御装置１０６、ヒーター１０８を有している。制御装置１０６は、送風機の回転数を制御するためのマイコン等を実装したプリント基板１０７を有し、発熱体収納箱の内部温度を一定に保つ制御を行う。ヒーター１０８は、内気風路１１０内で、内気送風機１０３と熱交換素子１０５間に配置されている。発熱体収納箱を寒冷地の低温下で使用した場合に、発熱体収納箱は内部の電子部品の性能、品質を確保する為に、内部空気温度が一定以上でないと運転しない機能を有する。ヒーター１０８は、内部の温度が低い場合、収納箱内部に供給される空気を一定温度まで加熱して内部の空気温度を上げる動作を行う。
【０００６】
また、図１５に示すように発熱体収納箱冷却装置１０１は、発熱体収納箱１２１の開閉式の扉１２２に内付けされる。
【特許文献１】特開２００１−１５６４７８号公報（図１）
【特許文献２】特開平６−３２３５９３号公報（図１）
【特許文献３】実開平５−８２５３号公報
【発明の開示】
【発明が解決しようとする課題】
【０００７】
制御装置の温度上昇低減は、送風空冷効果によるものが大きいが、このような従来の冷却装置では内気送風機または外気送風機が配置されている同区画に制御装置を搭載することになる為、制御装置の配置によっては制御装置への送風量低下により空冷効果が低下し構成部品の温度が上昇する可能性がある。
【０００８】
また、制御装置が配置される同区画には、ヒーター等の別部材が存在し、風の流れを妨げるもしくは風向を変更する等により制御装置への通風状態に偏りが生じ、制御装置構成部品の温度が上昇する可能性がある。
【０００９】
また、制御装置は制御部品収納部箱内に構成する電子部品が納められており、制御装置収納部箱には、送風機により高圧化された区画と連通させた制御装置収容部流入口と、送風機吸込口と連通させた制御装置収容部流出口を設け、圧力差により通風し、内部の電子部品を冷却するが通風に偏りがあり、最も発熱する構成部品に効率よく風が当たらない可能性がある。
【００１０】
また、制御装置構成部品の中には経年劣化時には交換しなければならない部品が存在するが、それらを容易に取り外し、取り付けできる必要がある。
【００１１】
また、発熱体収納箱冷却装置は内部に電子機器等の精密機器を有しているため、屋外に設置された場合でも、特に制御装置内部への水の侵入、結露を防止する必要があることは言うまでもない。
【００１２】
本発明は、このような従来の課題を解決するものであり、制御装置の冷却を効率的に行うことができ、容易に制御装置構成部品の交換が可能であり、屋外に設置された場合でも、冷却装置収納部箱体内部での結露発生を防ぐことができる冷却装置を提供することを目的としている。
【課題を解決するための手段】
【００１３】
本発明の熱交換器は上記目的を達成するために、制御装置収容部を、内気風路内の内気送風機と同一の区画内で、かつ、内気送風機の回転する向きの接線の方向が、顕熱交換器の空気流入方向と同じ向きとなる側に配置したものである。
【００１４】
この手段により、制御装置への送風量低下による空冷効果低下を抑制でき、制御装置構成部品の温度上昇を軽減することができる冷却装置が得られる。
【００１５】
また、他の手段は、内気送風機側の制御装置収容部の壁面に、制御装置の構成部品の中で発熱量の大きいプリント基板を箱体の外側から取り付けるものである。
【００１６】
この手段により、内側送風機により送られる風を発熱量の大きいプリント基板に直接当てることができる。
【００１７】
また他の手段は、プリント基板とプリント基板を取り付ける制御装置収容部箱体壁面の間に空間を設け、プリント基板の裏面にも冷却風が通る構造にしたものである。
【００１８】
この手段により、冷却したいプリント基板の表面と、裏面の両面を冷却することが可能となる。
【００１９】
また、他の手段は、内気送風機の吐出側の区画と制御装置収容部内を連通させた制御装置収容部流入口と、内気側とを連通させた制御装置収容部流出口を設け、制御装置収容部流入口の風上側に冷却したいプリント基板の高温部を配置したものである。
【００２０】
この手段により、制御装置収容部内にも冷却空気を通すことができ、プリント基板高温部を集中的に冷却することが可能となる。
【００２１】
また、他の手段は、プリント基板の中で最も発熱する構成部品と接触する１面を有し、制御装置収納部流入口への風の流入方向に対して垂直となり相対する２面を風上側が低く、風下側が高くなるよう段差を設けて折り曲げ、かつ、多数のスリットを設けた櫛形状とし、櫛形状が風上側と風下側風路で重ならない様に半周期ずらした千鳥配列とした形状を有するプリント基板放熱フィンを制御装置収納部流入口直前に備えたものである。
【００２２】
この手段により、冷却したいプリント基板高温部の放熱面積を増やし、冷却効果を飛躍的に高めることができる。
【００２３】
また、他の手段は、制御装置収容部箱体のプリント基板設置部分に設置台とスリットとネジ固定部分を備え、プリント基板に差込部とネジ固定穴を備えたものである。
【００２４】
この手段により、メンテナンスで交換作業が必要なプリント基板において、プリント基板を落下させることなく容易に着脱することができる。
【００２５】
また、他の手段により、放熱フィンの直前に、通風させる為の開口と送風を導く為のガイドを有したプリント基板保護カバーを備えたものである。
【００２６】
この手段により、プリント基板を保護すると共にインバータの高温部を局所的に冷却することができる。
【００２７】
また、他の手段は、制御装置収納部箱体にプリント基板カバー位置決め用スリットと落下防止用スリットとネジ固定部を備え、プリント基板保護カバーに位置決め用差込部と落下防止用差込部とネジ固定穴を備えたものである。
【００２８】
この手段により、落下防止機能を有し、容易に位置決めが可能であり、プリント基板カバーを１本のネジにて簡単に着脱が可能となる。
【００２９】
また、他の手段は、制御装置収納部箱体の室外側の内壁面に断熱材を備え、かつ、制御装置収納部箱体の室外側壁面と外気と接触する発熱体収納箱冷却装置外面の間に空間を設けたものである。
【００３０】
この手段により、制御装置壁面での結露を完全に防止することができる。
【００３１】
また、他の手段は、内部の狭小空間にて部品交換が必要である制御装置収納部箱体において、交換部品直近にメンテナンス開口とメンテナンスカバー固定用のスリットとネジ固定部を備え、メンテナンスカバーに固定用差込部とネジスライドスリット穴を備えたものである。
【００３２】
この手段により、ネジを緩めてカバーをスライドさせて差込部を引き抜き、カバーを回転することで容易に開閉することができ、狭小空間においてもメンテナンス開口から容易に部品交換が可能である。
【００３３】
また、他の手段は、内気風路内であって内気送風機の背面に、内気送風機と正対する制御装置収容部の壁面と、内気送風機の主板との双方の面に垂直になるようにヒーターを配置したものである。
【００３４】
この手段により、制御装置箱体の外郭と風向ガイドの役割を果たす様に設置したヒーターにより、冷却することができる冷却装置が得られる。
【発明の効果】
【００３５】
本発明によれば、制御装置収納部箱体、制御装置を構成する発熱部品への通風量を増やし、有効的に冷却することにより小型化、高密度化した冷却装置を提供できる。
【００３６】
また、部品交換が必要な制御装置構成部品を容易かつ安全に着脱することができるという効果のある冷却装置を提供できる。
【００３７】
また、制御装置収納部箱体内部での結露を防止する構造を有した冷却装置を提供できる。
【発明を実施するための最良の形態】
【００３８】
発明の請求項１記載の冷却装置は、発熱体収納箱の空気を取込み、また発熱体収納箱へ戻し循環させる内気風路と、外気を取込み、また屋外へ排気する外気風路と、内気風路の空気を搬送する内気送風機と、外気風路の空気を搬送する外気送風機と、内気風路の空気と外気風路の空気との間で顕熱交換を行う顕熱交換器と、内気送風機と外気送風機の動作を制御するための制御装置を収容する制御装置収容部とを備え、発熱体収納箱に取り付けられて発熱体収納箱内部を冷却する冷却装置において、内気送風機は、顕熱交換器の上流側に配置し、制御装置収容部は、内気風路内の内気送風機と同一の区画内で、かつ、内気送風機の回転する向きの接線の方向が、顕熱交換器の空気流入方向と同じ向きとなる側に配置されたものであり、内気送風機より吹出された内気は制御装置収容部にスムーズに通風され制御装置構成部品を効率よく冷却するという作用を有する。
【００３９】
また、請求項２記載の冷却装置は、内気送風機側の制御装置収容部の壁面に、制御装置の構成部品の中で発熱量の大きいプリント基板を箱体の外側から取り付けたものであり、内側送風機により送られる風を直接プリント基板に当てて冷却効果を高めることができるという作用を有する。
【００４０】
また、請求項３記載の冷却装置は、プリント基板とプリント基板を取り付ける制御装置収容部箱体壁面の間に空間を設けたものであり、冷却したいプリント基板の表面のみならず、裏面にも通風させることで冷却効果を高めることができるという作用を有する。
【００４１】
また、請求項４記載の冷却装置は、内気送風機の吐出側の区画と制御装置収容部内を連通させた制御装置収容部流入口と、内気側とを連通させた制御装置収容部流出口を設け、制御装置収容部流入口の風上側に冷却したいプリント基板の高温部を配置したものであり、制御装置のプリント基板高温部を集中的に冷却することができるという作用を有する。
【００４２】
また、請求項５記載の冷却装置は、プリント基板の中で最も発熱する構成部品と接触する１面を有し、制御装置収納部流入口への風の流入方向に対して垂直となり相対する２面を風上側が低く、風下側が高くなるよう段差を設けて折り曲げ、かつ、多数のスリットを設けた櫛形状とし、櫛形状が風上側と風下側風路で重ならない様に半周期ずらした千鳥配列とした形状を有する放熱フィンを制御装置収納部流入口直前に備えたものであり、冷却したいプリント基板高温部の放熱面積を増やすことにより、冷却効果を飛躍的に高めることができるという作用を有する。
【００４３】
また、請求項６記載の冷却装置は、制御装置収容部箱体のプリント基板設置部分に設置台とスリットとネジ固定部分を備え、プリント基板に差込部とネジ固定穴を備えたものであり、メンテナンスで交換作業が必要なプリント基板において、プリント基板を落下させることなく容易に着脱することができるという作用を有する。
【００４４】
また、請求項７記載の冷却装置は、放熱フィンの直前に、通風させる為の開口と送風を導く為のガイドを有したプリント基板保護カバーを備えたものであり、プリント基板を保護すると共にプリント基板の高温部を局所的に冷却することができるという作用を有したものである。
【００４５】
また、請求項８記載の冷却装置は、制御装置収納部箱体にプリント基板カバー位置決め用スリットと落下防止用スリットとネジ固定部を備え、プリント基板保護カバーに位置決め用差込部と落下防止用差込部とネジ固定穴を備えたものであり、落下防止機能を有し、容易に位置決めが可能であり、プリント基板カバーを１本のネジに簡単に着脱ができるという作用を有する。
【００４６】
また、請求項９記載の冷却装置は、制御装置収納部箱体の室外側の内壁面に断熱材を備え、かつ、制御装置収納部箱体の室外側の内壁面と、外気と接触する発熱体収納箱冷却装置外面の間に空間を設けたものであり、制御装置壁面での結露を完全に防止することができる。
【００４７】
また、請求項１０記載の冷却装置は、内部の狭小空間にて部品交換が必要である制御装置収納部箱体において、交換部品直近にメンテナンス開口とメンテナンスカバー固定用のスリットとネジ固定部を備え、メンテナンスカバーに固定用差込部とネジスライドスリット穴を備えたものであり、ネジを緩めてカバーをスライドさせて差込部を引き抜き、カバーを回転することで容易に開閉することができ、狭小空間においてもメンテナンス開口から容易に部品交換が可能であるという作用を有するものである。
【００４８】
また、請求項１１記載の冷却装置は、内気風路内であって内気送風機の背面に、内気送風機と正対する制御装置収容部の壁面と、内気送風機の主板との双方の面に垂直になるようにヒーターを配置したものであり、ヒーターが内気送風機により吹出された内気の通風を妨げることなく制御装置収容部への風向ガイドの役割を兼ねることにより制御装置構成部品を効率よく冷却するという作用を有する。
【００４９】
以下、本発明の実施の形態について図面を参照しながら説明する。
【００５０】
（実施の形態１）
図１に示すように、冷却装置のケース１の内部には、内気送風機としての室内側ターボファン２をケース１の上部に配置し、外気送風機としての室外側ターボファン３をケース１の下部に配置し、室内側ターボファン２と室外側ターボファン３との間には室内側ターボファン２により送風された内気と室外側ターボファン３により送風された外気との間の顕熱交換を行うための熱交換素子４を配置している。
【００５１】
室内側ターボファン２と室外側ターボファン３の回転数を制御するためのマイコン等を実装した制御装置としてのプリント基板５およびその他の電子部品等は制御装置収容部としてのコントローラーボックス６に収容されており、コントローラーボックス６は、熱交換素子４の内気流入口７の上方の室内側ターボファン２が配置されている区画にあり、右回転の室内側ターボファン２の接線方向が熱交換素子４の内気流入口７と同じ方向、すなわち下向き、室内側ターボファン２の回転軸に対し、図面向かって右側に配置する。
【００５２】
上記構成により、室内側ターボファン２から吹出された空気の多くがケース１の上内面、コントローラーボックス６の壁面を沿う形で上方から図１の室内側ターボファン２の図面向かって右側から下方へスムーズに通風される。すなわち、室内側ターボファン２から吹き出される空気の多くが室内側ターボファン２の図面向かって右側から熱交換素子４に向かって流れる為（図中破線矢印Ａ）、より多くの空気によってコントローラーボックス６を冷却することができる。
【００５３】
（実施形態の２）
図２に示すように、ヒーター８を室内側ターボファン２、コントローラーボックス６と同じ区画で、かつケース１の室内側ターボファン２の背面部に配置する。その向きは、室内側ターボファン２の主板と垂直で、かつ、室内側ターボファン２と正対するコントローラーボックス６の壁面と垂直でコントローラーボックス６の上方の高さに配置する。
【００５４】
上記構成により、室内側ターボファン２の背面部において下方の熱交換器へ流れる内気（図中破線矢印Ｂ）が風向ガイドの役割を兼ねたヒーターに沿う形でコントローラーボックスの方向へ流れる為（図中破線矢印Ｃ）、コントローラーボックスの冷却風を増やすことができる。
【００５５】
（実施形態の３）
図３に示すように、高い発熱部品を搭載したプリント基板５を、コントローラーボックス６を構成する箱体の中で最も風が当たる壁面、すなわち室内側ターボファン２の直近の面にコントローラーボックス６の外側から設置する。
【００５６】
上記構成により、プリント基板５へ効率よく風をあてて、部品の冷却を行うことができる。
【００５７】
なお、本実施の形態で示したプリント基板は一例であり、制御装置構成部品の中でプリント基板５より発熱量の大きな部材が存在する場合、置き換えて設置しても同様の作用効果を得ることができる。
【００５８】
（実施形態の４）
図４に示すように、プリント基板５をコントローラーボックス６壁面に外側から設置し、プリント基板５とコントローラーボックス６の接触部分に空間９を設ける。
【００５９】
上記構成により、発熱量の大きな制御装置構成部品の表面のみならず、裏面にも通風させることで（図中破線矢印Ｄ）冷却効果を高めることができる。
【００６０】
なお、本実施の形態で示した発熱体であるプリント基板は一例であり、制御装置構成部品の中でプリント基板５より発熱量の大きな部材が存在する場合、置き換えて設置しても同様の作用効果を得ることができる。
【００６１】
（実施形態の５）
図５は室内側ターボファン２とプリント基板５とコントローラーボックス６の吸気口１０との位置関係を示す概略斜視図、図６はコントローラーボックス６の排気口１１を示す概略斜視図である。
【００６２】
図５および図６に示すように制御装置収容部流入口としてのコントローラーボックス６の吸気口１０は、室内側ターボファン２の吹出口と同区画、すなわち、室内側ターボファン２から吹き出される空気によって高圧となる区画、かつコントローラーボックス６の外に設置されているプリント基板５の近傍に設ける。一方、制御装置収容部流出口としてのコントローラーボックス６の排気口１１は、室内側ターボファン２の吸込み側（室内側吸込口１３）となるケース１の発熱体収納箱側のパネル１２に設けられる。
【００６３】
上記構成において、室内側ターボファン２が動作すると、吸込み側、すなわち、発熱体収納箱側は低圧となり、吹出し側、すなわち、ケース１のコントローラーボックス６が置かれた領域は高圧となる。従って、吸気口１０直前に置かれたプリント基板５から発する熱は、室内側ターボファン２によって昇圧された空気によって吸気口１０、コントローラーボックス６内を通って排気口１１から排出される。そのため、プリント基板５においても吸気口１０近傍のみを確実に、かつ、集中的に冷却することができる。また、吸気口１０の形状、配置を変えることにより集中的に冷却する場所を限定する事ができる。
【００６４】
なお、本実施の形態で示した発熱体であるプリント基板５は一例であり、制御装置構成部品の中でプリント基板５より発熱量の大きな部材が存在する場合、置き換えて設置しても同様の作用効果を得ることができる。
【００６５】
（実施形態の６）
図７は放熱フィンの形状図、図８は放熱フィン設置の概要を示す概略斜視図である。
【００６６】
図７に示すように、高発熱体であるプリント基板５の中で最も発熱する構成部品との接触面１４を有し、風の流入方向（図中破線矢印Ｅ）に対して垂直となり相対する２面の内、風上面１５が低く、風下面１６が高くなるよう段差を設けて折り曲げ、かつ、多数のスリットを設けた櫛形状とし、櫛形状が風上側と風下側風路で重ならない様に半周期ずらした千鳥配列とした形状を有する鉄製の放熱フィン１７を別部材としてプリント基板にネジにて接続し、放熱フィン１７が上記吸気口の直前に位置するように配置する。
【００６７】
上記構成において、プリント基板５に放熱フィン１７を接続すると放熱面積が増す為、プリント基板５の冷却効果を大幅に高めることができる。
【００６８】
なお、本実施の形態で示した鉄製の放熱フィン１７は材料コスト、加工性を考慮した一例であるが、これをアルミ等の他材料で製作した場合、同様、もしくは更に高い作用効果を得ることができる。
【００６９】
また、放熱フィン１７はプリント基板５に別部材として接続する構造であり、機器の負荷、すなわち温度上昇の状態に応じて部材の要否を決定すればよい為、様々な仕様に対してプリント基板５を共用できる。
【００７０】
（実施形態の７）
図９に示すように、コントローラーボックス６の壁面のプリント基板５設置部分に設置台１８とスリット１９とネジ固定部２０を備え、プリント基板５に位置決め用差込部２１とネジ固定穴２２を備えたものである。
【００７１】
上記構成において、プリント基板５の取外し時には、プリント基板５は設置台１８上に乗っている為、固定ネジ２３を取外し、手を離しても容易に落下しない構造であり、プリント基板５の取付け時には、プリント基板５を設置台１８上に乗せた状態にて、位置決め用差込部２１をスリット１９へ差込んで、ネジ固定部２０とネジ固定穴２２を合わせて固定ネジ２３にて固定すれば容易に取付けを行うことができる。
【００７２】
（実施形態の８）
図１０に示すように、放熱フィン１７の直前に、通風させる為の開口２４と送風を導く為のガイド２５を有したプリント基板保護カバー２６を備えたものである。
【００７３】
上記構成において、プリント基板保護カバー２６は、プリント基板５を保護すると共に室内側ターボファン２から吐出しコントローラーボックス６の壁面を沿う形で上方から下方へ送風される内気の風向をガイド２５によって開口２４側へ変更し、放熱フィン１７への送風量を増すことで局所的な冷却効果を向上させることができる。
【００７４】
（実施形態の９）
図１１に示すように、コントローラーボックス６に位置決め用スリット２７と落下防止用スリット２８とネジ固定部２０を備え、プリント基板保護カバー２６に位置決め用差込部３０と落下防止用差込部３１とネジ固定穴３２を備えたものである。
【００７５】
上記構成において、プリント基板保護カバー２６取外し時には、落下防止用スリット２８に落下防止用差込部３１が挿入されている為、固定用ネジ３３を取外して手を離しても容易に落下しない構造であり、プリント基板保護カバー２６取付け時には、位置決め用スリット２７に位置決め用差込部３０を挿入して取付け位置を決定した後、位置決め用スリット２７部を基点にし、水平方向に回転させて落下防止用スリット２８に落下防止用差込部３１を挿入し、ネジ固定部２９とネジ固定穴３２を合わせて固定用ネジ３３にて固定すれば容易に取付けを行うことができる。
【００７６】
（実施形態の１０）
図１２に示すように、外気と接触するケース内壁面３４のコントローラーボックス６隣接部に断熱材を備え、かつ、コントローラーボックス室外側壁面３５とケースの内壁面３４に空間を設けたものである。
【００７７】
上記構成において、ケース内壁面３４に断熱材３６を備えることにより、外気の冷たい空気と内気の熱い空気の温度差によってケース内面に生じる結露を防ぎ、コントローラーボックス室外側壁面３５とケース内壁面３４の空間に内気を通風することにより、コントローラーボックス６での内外の空気の温度差を無くしてコントローラーボックス６内部での結露を防ぎ、これら２重に結露対策を施すことでコントローラーボックス６内部への水の侵入を完全に防止することができる。
【００７８】
（実施形態の１１）
図１３に示すように、内部の狭小空間にて部品交換が必要であるコントローラーボックス６において、交換部品直近にメンテナンス開口３７とメンテナンスカバー固定用スリット３８とネジ固定部３９を備え、メンテナンスカバー４０に固定用差込部４１とスライドスリット穴４２を備えたものである。
【００７９】
メンテナンス時には、固定ネジ４３を緩めてカバーを室内側にスライドさせ、固定用差込部４１をメンテナンスカバー固定用スリット３８から引き抜き、カバーを水平方向に１８０度回転することにより、メンテナンス開口３７を容易に開く事ができ、メンテナンスカバー４０を開けばメンテナンス開口３７より、コントローラーボックス６内部の狭小空間においても容易に部品交換が可能である。
【産業上の利用可能性】
【００８０】
本発明は、移動電話基地局、簡易無線局等の屋外に設置される箱体構造物で、内部に通信機器等の発熱体を有し、その発熱量が多いため冬季においても冷却を要し、温度、湿度、粉塵、雨水などが性能、寿命に影響を与えるような精密機器を有する発熱体収納箱の冷却装置に関するものに有用である。
【図面の簡単な説明】
【００８１】
【図１】本発明の実施の形態１における冷却装置の構造図
【図２】同実施の形態２におけるヒーター配置構造図
【図３】同実施の形態３におけるプリント基板配置構造図
【図４】同実施の形態４におけるプリント基板背面の空間を示す概略斜視図
【図５】同実施の形態５における室内側ターボファン２とコントローラーボックス６の吸気口１０との位置関係を示す概略斜視図
【図６】同実施の形態５におけるコントローラーボックス６の排気口１１を示す概略斜視図
【図７】同実施の形態６における放熱フィンの概略を示す斜視図
【図８】同実施の形態６における放熱フィン設置の概要を示す概略斜視図
【図９】同実施の形態７におけるプリント基板取付要領を示す概略斜視図
【図１０】同実施の形態８におけるプリント基板保護カバーの構造図
【図１１】同実施の形態９におけるプリント基板保護カバー取付要領を示す概略斜視図
【図１２】同実施の形態１０における結露対策方法を示す概略構造図
【図１３】同実施の形態１１におけるメンテナンスカバーの構造図
【図１４】従来の発熱体収容箱冷却装置構造図
【図１５】従来の発熱体収納箱冷却装置の設置図
【符号の説明】
【００８２】
１    ケース
２    室内側ターボファン
３    室外側ターボファン
４    熱交換素子
５    プリント基板
６    コントローラーボックス
７    内気流入口
８    ヒーター
９    空間
１０  吸気口
１１  排気口
１２  パネル
１３  室内側吸込口
１４  接触面
１５  風上面
１６  風下面
１７  放熱フィン
１８  設置台
１９  スリット
２０  ネジ固定部
２１  位置決め用差込部
２２  ネジ固定穴
２３  固定ネジ
２４  開口
２５  ガイド
２６  プリント基板保護カバー
２７  位置決め用スリット
２８  落下防止用スリット
２９  ネジ固定部
３０  位置決め用差込部
３１  落下防止用差込部
３２  ネジ固定穴
３３  固定用ネジ
３６  断熱材
３７  メンテナンス開口
３８  メンテナンスカバー固定用スリット
３９  ネジ固定部
４０  メンテナンスカバー
４１  固定用差込部
４２  スライドスリット穴
４３  固定ネジ
【図１】
2009117631.tif 000003
【図２】
2009117631.tif 000004
【図３】
2009117631.tif 000005
【図４】
2009117631.tif 000006
【図５】
2009117631.tif 000007
【図６】
2009117631.tif 000008
【図７】
2009117631.tif 000009
【図８】
2009117631.tif 000010
【図９】
2009117631.tif 000011
【図１０】
2009117631.tif 000012
【図１１】
2009117631.tif 000013
【図１２】
2009117631.tif 000014
【図１３】
2009117631.tif 000015
【図１４】
2009117631.tif 000016
【図１５】
2009117631.tif 000017